(57)【特許請求の範囲】
【請求項１】
開閉可能に連結された１対の本体ケースと、
前記各本体ケースの対向面にそれぞれ設けられた１対のプレス用板と、
前記プレス用板の少なくともいずれか一方を加熱する発熱体と、
前記発熱体の通電をオン・オフする電源スイッチと、
前記電源スイッチのオン・オフをスライド操作により切換えを行う電源スイッチボタン
と、
前記電源スイッチボタンのスライド操作と連動して、前記各本体ケースの開閉のロック
およびロック解除を行う連動機構と、を備え、
前記本体ケースは、開閉支点側となる一端側に幅が狭い幅狭部と、開閉端側となる他端
側に幅が広い幅広部と、を有し、
前記１対のプレス用板は横長で前記幅広部に設けられ、
前記連動機構は前記幅狭部に設けられることを特徴とする衣類プレス器。
【請求項２】
前記本体ケースの内部空間を前記発熱体が設けられる領域と前記本体ケースの開閉支点側
の領域とに区画して、前記電源スイッチ及び前記本体ケースの外殻側の温度上昇を抑える
熱遮蔽壁を備えることを特徴とする請求項１に記載の衣類プレス器。
【発明の詳細な説明】
【技術分野】
【０００１】
本発明は片手把持により利用できる電熱式の衣類プレス器に係り、特に電源スイッチのオン・オフ動作とキーによる本体ケースのロックおよび解除とを連動する機能を備えた衣類プレス器に関するものである。
【背景技術】
【０００２】
従来、ズボンその他の衣類の皺伸ばしを行なう場合には主としてアイロンやズボンプレッサ等が使用されているが、アイロン使用には床面やテーブル面等にアイロン台を利用する必要があり、ズボンプレッサ等は一般に大型で収納や取扱い等について不便を生じる場合があった。
【０００３】
一方、近年では片手把持によって簡便に利用できる電熱式の衣類プレス器が知られており、例えば１対の作動腕をヒンジ部で開閉自在に枢支し、各作動腕間に開方向に付勢するスプリング材を配置し、各作動腕の他端に互いに対向する発熱接触部を配置し、全体形状を手の平に納まる程度に形成した簡易な構成のプレス器等が提案されている（例えば、特許文献１等参照）。
【特許文献１】特開２００２−０２８０１４号公報
【発明の開示】
【発明が解決しようとする課題】
【０００４】
使用直後は熱板が高温になっているため、本体ケースを閉じた状態で電源をオフすることが望ましい。また、電源オン状態においては常に本体カバーが開状態を維持し、万一通電放置状態となった場合でも衣類プレス器の温度上昇を防止することができるようにすることが望まれる。
【０００５】
また、本体ケースを閉じた状態でも電源オフ用の切換え操作ができない場合には、熱板が高温のまま放置される可能性がある。
【０００６】
本発明はこのような事情に鑑みてなされたもので、万一通電放置状態となった場合でも衣類プレス器の温度上昇を防止することができ、また本体ケースを閉じた状態でも電源オフ用の切換え操作することができ、熱板が熱いまま放置されることを確実に防止することができ、本体ケースを閉じた後でなければ「ロック」操作できず、かつ「ロック」および「解除」とも、電源スイッチに連動できる衣類プレス器を提供することを目的とする。
【課題を解決するための手段】
【０００７】
前記の目的を達成するため、本発明では、開閉可能に連結された１対の本体ケースと、前記各本体ケースの対向面にそれぞれ設けられた１対のプレス用板と、前記プレス用板の少なくともいずれか一方を加熱する発熱体と、前記発熱体の通電をオン・オフする電源スイッチと、前記電源スイッチのオン・オフをスライド操作により切換えを行う電源スイッチボタンと、前記電源スイッチボタンのスライド操作と連動して、前記各本体ケースの開閉のロックおよびロック解除を行う連動機構と、を備え、前記本体ケースは、開閉支点側となる一端側に幅が狭い幅狭部と、開閉端側となる他端側に幅が広い幅広部と、を有し、前記１対のプレス用板は横長で前記幅広部に設けられ、前記連動機構は前記幅狭部に設けられることを特徴とする衣類プレス器を提供する。
【発明の効果】
【０００８】
本発明によれば、電源オン状態においては常に本体カバーが開状態を維持するので、万一通電放置状態となった場合でも衣類プレス器の温度上昇を防止することができる。
【０００９】
また、本体ケースを閉じた状態でも電源オフ用の切換え操作ができないと熱板が熱いまま放置されるが、本発明によれば本体ケースを閉じた後でなければ「ロック」操作できない。これに対し、「ロック」および「解除」とも、電源スイッチに連動する構成とすることが望ましい。
【図面の簡単な説明】
【００１０】
【図１】本発明の一実施形態による衣類プレス器の装置構成を示す斜視図。
【図２】本発明の一実施形態による衣類プレス器の構成部品を示す分解図。
【図３】本発明の一実施形態による衣類プレス器を示す縦断面図。
【図４】本発明の一実施形態による衣類プレス器を示す縦断面図。
【図５】図４に示した両本体ケースを先端側から見た側面図。
【図６】上側本体ケースの内面（下面）を示す底面図。
【図７】本発明の一実施形態による衣類プレス器の部品を示す斜視図
【図８】本発明の一実施形態による衣類プレス器の電源回路を示す回路図。
【図９】本発明の一実施形態による作用説明図。
【図１０】本発明の一実施形態による作用説明図。
【発明を実施するための形態】
【００１１】
以下、本発明に係る衣類プレス器の一実施形態について図面を参照して説明する。
【００１２】
図１は、本実施形態による衣類プレス器を略水平に配置し、斜め下方から見た状態を示す全体斜視図である。
【００１３】
この図１に示すように、衣類プレス器１は外殻体として、１対の互いに対向する略平坦な形状の耐熱樹脂製の本体ケース２，３を備えている。各本体ケース２，３は薄箱状をなしており、互いに対向する面が開口している。また、本体ケース２，３の対向面と反対側の面は、各本体ケース２，３の周縁側から中央側に向い、緩やかな起伏をもって膨らむ湾曲面とされている。
【００１４】
両本体ケース２，３は、幅広な部分（以下、「幅広部」という。）２ａ，３ａと、幅狭な部分（以下、「幅狭部」という。）２ｂ，３ｂとが緩やかな曲線状の縁辺を介して連続する形状をなしており、幅狭部２ｂ，３ｂ側から幅広部２ａ，３ａに向けて人が片手の第１指と第２指等との間に挟む状態で把持できる構成としてある。
【００１５】
本体ケース２，３の幅狭部２ｂ，３ｂ側の端部は、これらの本体ケース２，３の板面と平行な軸心をもつ支点用の軸４によって回動可能に連結されており、この軸４を中心として、両本体ケース２，３の幅広部２ａ，３ａの端部側が互いに対向する方向に開閉可能に支持されている。なお、以下においては、説明を容易にするため、図１に下側配置で示した一方の本体ケース２を「下側本体ケース２」といい、同図に上側配置で示した他方の本体ケース３を「上側本体ケース３」という。また、本体ケース２，３の開閉端側を「先端側」といい、軸支された側を「後端側」という。
【００１６】
下側本体ケース２の幅広部２ａの先端側には、ヒータを内蔵した長方形状をなす電熱型の衣服プレス用の熱板５が設けてある。一方、上側本体ケース３の幅広部３ａの先端側には、熱板５と略同形状でかつ同一面積の長方形状をなすプレス板（プレス用板）６が設けてある。そして、熱板５とプレス板６とは、下側本体ケース２と上側本体ケース３とを軸４を支点として閉方向に回動することにより、互いに対向する面を接合することでき、また逆に開方向に回動することにより、互いに対向する面を離間させて対向する面を開口することができるようになっている。なお、軸４は下側本体ケース２の後端側内部に同一軸心上で１対配置されており、各軸４の軸方向外側にはキャップ４ａがそれぞれ装着されている。
【００１７】
なお、プレス板６はヒータをもたない非加熱構造とされており、被服へのプレス用の加圧力のみを付与する構成とされている。この構成のもとで、熱板５が配置された下側本体ケース２の外殻側に、熱板５の板面部位を覆う下側本体ケース２とは別のカバー７が設けられている。このカバー７には、下側本体ケース２の先端側に位置して複数の細長い小孔からなる多数の通気孔８が一列配置で穿設されている。また、カバー７の周囲には、下側本体ケース２との間を空気が流通し得る隙間９が形成されている。そして、この隙間９が後述する通風路とされている。
【００１８】
さらに、上下側本体ケース２，３の軸支端側には、電源コード１０がコードホルダ１０ａを介して接続されている。なお、電源コード１０については図２以下において、本体ケース２，３内の構成を簡明にするため図示を省略し、末尾の図８に回路構成を示してある。
【００１９】
図２は、下側本体ケース２の分解斜視図であり、図１に示した下側本体ケース２の構成部品を略水平状態として斜め上方から見た状態を示している。
【００２０】
この図２に示すように、下側本体ケース２は上面が開口する薄箱状の下側ケース体１１と、この下側ケース体１１の両側部にそれぞれ接合される横カバー１２，１３と、上述のカバー７とを備えている。
【００２１】
下側ケース体１１は、その周縁部に上述の幅広部２ａと幅狭部２ｂとに沿う形状の底壁１４と、この底壁１４の周縁から立上る周壁１５と有している。そして、周壁１５の内面側には、下側ケース体１１の先端側の周壁１５に沿って底壁１４から一体に内側壁１６が立設してある。この内側壁１６は、下側ケース体１１の周壁１５の先端部１５ａと両側部１５ｂ，１５ｃとに沿う三面の壁１６ａ，１６ｂ，１６ｃを有している。さらに、内側壁１６は三面の壁１５ａ，１５ｂ，１５ｃの両側部分からそれぞれ下側ケース体１１の壁面に沿って内方に向って伸びた後、向きを略直角に変えて周壁１５側に伸び、柱状構成部１８となって下側本体ケース２と一体に構成されている。
【００２２】
この柱状構成部１８と、三面の壁１６ａ，１６ｂ，１６ｃとにより、下側ケース体１１内の先端側に平面視で略長方形状の領域１７が形成される。この領域１７は上述の熱板５を収容し得る面積を有する設定としてあり、この領域１７内に熱板５が固定配置される。
【００２３】
領域１７の後方には、熱板５等を固定するための例えば１対の短円筒状の基台１９が底壁１４上に設けられている。
【００２４】
また、下側本体ケース２の内部には、その内部空間を、熱板５が設けられる領域１７と、下側本体ケース２の開閉支点側の領域２０とに区画する横長な縦板状の熱遮蔽壁２１ａが下側本体ケース２上に配置されている。この熱遮蔽壁２１ａを設けることにより、下側本体ケース２の内部において、熱板５が設けられる領域１７と、下側本体ケース２の開閉支点側の領域２０とが区画され、両領域１７，２０間の熱の移動を遮断することができ、熱板５の奥側に設置される構造物、電装部品、外殻側の温度上昇を抑えることができる。
【００２５】
また、柱状構成部１８の左右の後方には、柱状構成部１８よりも背の高い第２の熱遮蔽壁２１ｂ，２１ｂが設けてある。これらの熱遮蔽壁２１ａ，２１ｂ，２１ｂを設けることにより、熱の移動を遮断するとともに、熱の吸収性を高め、熱板５の後方に設置される構造物、電装部品、外殻側の温度上昇を効率よく、かつ確実に抑えることができる。
【００２６】
下側本体ケース２の開閉支点側の領域２０には、後述する電源スイッチのロック機構を受けるロック受け２２、スプリングを受けるためのスプリング受け２３、および軸４を受けるための軸受２４等が設けられている。
【００２７】
一方、下側本体ケース２の先端側には、熱板５が設けられる領域１７を囲む内側壁１６（１６ｂ，１６ｃ）と、その外側の周壁１５（１５ｂ，１５ｃ）との間に、それぞれ周壁１５に沿う空間２５が形成されている。この空間２５内の空気は内側壁１６（１６ｂ，１６ｃ）と周壁１５（１５ｂ，１５ｃ）との間の伝熱を抑制することができるため、下側本体ケース２の温度上昇を抑えることができる。
【００２８】
また、カバー７は内面である上面側が凹となる湾曲形状を有しており、下側本体ケース２ａの下面側との間に間隔を空けて装着される構成となっている。このカバー７の内面である上面側には、アルミニウムその他の金属板または金属テープからなる熱反射部材２６が仮想線で示すように固着される。
【００２９】
このように、カバー７に金属板または金属テープからなる熱反射部材２６を設けることにより、カバー７の外面側の温度を約３℃低下させることができる。
【００３０】
なお、カバー７の内面には複数のピン状の係止突起２７が設けてある。これらの係止突起２７はカバー７の前端縁に穿設された通気孔８の付近と後端側とに適宜の間隔を空けて配置されており、各係止突起２７はそれぞれ下側本体ケース２に穿設した係止孔２８に挿通して係止される。
【００３１】
また、横カバー１２，１３の内面には、先端に近い配置で１対の鉤形の係止突起２９ａ，２９ａが鉤部の向きを逆として突設されるとともに、横カバー１２，１３の前後方向中央部から端側に寄った配置でピン状の係止突起３０ａが突設されている。これら各横カバー１２，１３の係止突起２９ａ，２９ａ，３０ａは、それぞれ下側本体ケース２に設けられた周壁１５の幅広部２ａ側の先端部１５ａに穿設した係止孔３１および周壁１５の幅狭部２ｂ付近に穿設した係止孔３２にそれぞれ係止される。
【００３２】
次に、図３および図４を参照して、ケース内部品の組立構造、作用等を説明する。図３は、下側本体ケース２および上側本体ケース３を、それらの内部に部品を装着して閉じた状態を示す縦断面図であり、図４は、両本体ケース２，３を開けた状態を示す縦断面図である。
【００３３】
図３および図４に示すように、カバー７の通気孔８は、本体ケース２，３の開閉端側に近接して配置されている。また、下側本体ケース２の底壁１４の開閉先端側にはケース内方に向って窪む凹部５１が形成されており、これにより下側本体ケース２の外面とカバー７の内面との対向部には間隔５０が空く構成となっている。この間隔５０により、下側本体ケース２とカバー７との間には空気層が形成される。
【００３４】
すなわち、カバー７に形成した空気層５０とカバー７の外面側とが、カバー７の前端側に穿設した多数の通気孔８によって連通されており、衣類プレス時に加熱される空気は、通気孔８を介して前方に排出されるようになっている。
【００３５】
さらに、カバー７の通気孔８は、下側本体ケース２の開閉端側の周壁１５の先端部１５ａに近接して配置されており、この先端部１５ａはカバー７の外周縁側の湾曲面と略同一の湾曲をなして前方に突出している。すなわち、下部本体ケース２の開閉端側の先端部１５ａである端縁部が、この端縁部に近接するカバー７の通風路９に沿って外方側に膨出する形状となっている。したがって、下部本体ケース２の先端部１５ａに近接する通風路９から排出される空気は、下部本体ケース２の開閉端側の先端部１５ａである端縁部に沿い、前方に向って排出されるようになる。このため、カバー７の外表面側への空気の排出は減少傾向となり、カバー７の加熱抑制が図られる。
【００３６】
なお、カバー７の周辺隙間からなる通風路９のうち、下部本体ケース２の先端と反対側に配置されている通風路９にも連通している。衣類プレス時の姿勢によって上記の条件は異なるが、熱板５側から離間している後部側に配置されている通風路９からは、衣類プレス時に加熱される空気が通風路９を介してカバー７内方への低温空気の流入空気となり易くなる。以上の通気孔８および通風路９による空気の流通により、カバー７の外面温度は約１℃低下させることができる。なお、図３および図４には、カバー７の内面に上述した金属板または金属テープからなる熱反射部材２６を熱板５と略対向する配置で固着した構成が具体的に示してある。
【００３７】
また、下側本体ケース２の先端側内部には、熱板５とヒータ押え４７との間に発熱体（ヒータ）４６を挟んだ重合体が配置され、熱板５とヒータ押え４７の後端に設けたＬ形部分が基台１９にネジ５７により締結して固定されている。一方、上側本体ケース３の先端側内部にはプレス板６が配置され、このプレス板６の後端が上側本体ケース３にネジ５８により締結して固定されている。
【００３８】
プレス板６等の後方では、下側本体ケース２に固定された支持板４９に、サーモスタット４３が取付けられている。この支持板４９の上端には、前方に向って押え片６１が一体に突出してあり、押え片６１は図４に示すように、本体ケース２，３を互いに開口した場合に上側本体ケース３に設けた係止部材６２の上片に当接して回動を停止させ、これにより上側本体ケース３の開口幅の限度を設定する構成となっている。
【００３９】
下側本体ケース２と上側本体ケース３とを連結する他端側の軸４側の近傍には、両ケース２，３の内面に設けたスプリング受け２３に支持されており、スプリングである圧縮コイルばね４８が支持されて、両ケース２，３を開口方向に付勢している。圧縮コイルばね４８の前方にはロック受け２２が下側本体ケース２から突出しており、このロック受け２２の上端にはケース２，３の開閉端側に向って突出する係止部２２ａが設けられている。
【００４０】
図５は、図４に示した開口状態の両本体ケース２，３を先端側から見た側面図である。この図５に示すように、両本体ケース２，３が開口した状態においては、熱板５とプレス板６との開口隙間の奥側に配置されている前述の左右１対の柱状構成部１８，１８と、遮熱部材２１ａ，２１ｂと、サーモスタット４３の支持板４９とによって略全面的に塞がれており、後方に連通するのは押え片６１が挿入される開口部６３のみとなっている。このような熱遮断構成によって、本体ケース２，３前端側の熱は後方から遮蔽される状態となり、後方への熱移動が効率良く遮断される。
【００４１】
次に、図６および図７も加えて、上側本体ケース３およびその収納部品等の構成を説明する。図６は上側本体ケース３の内面（下面）を示す底面図であり、図７は各構成部品を示す分解斜視図である。
【００４２】
図７に示すように、上側本体ケース３の上壁の中央部には長円形のスイッチ取付け孔３３が穿設されており、このスイッチ取付け孔３３の先端側に細長溝状のランプカバー取付け孔３４が形成されている。スイッチ取付け孔３３には電源スイッチボタン３５がスイッチ取付け孔３３の長手方向に沿ってスライド可能に装着してあり、ランプカバー取付け孔３４にはランプカバー３６が嵌合固定される。
【００４３】
上側本体ケース３の幅狭部３ｂの両側壁後端部には、軸４の挿通およびキャップ４ａの装着を行なう孔３７が形成されている。また、上側本体ケース３側の横カバー３８，３９には、下側本体ケース２の横カバー１２，１３と同様に、係止突起２９ａ，２９ｂ，３０ａ，３０ｂが設けられ、これらが上側本体ケース３の上側ケース体４０の係止孔２９ｂ，２９ｂ，３１等に係止される。
【００４４】
また、スイッチ機構の構成部材として、電源スイッチボタン３５を上側ケース体４０の内部に支持するボタンカバー４１と、電源スイッチボタン３５の動作によってオン・オフ操作されるマイクロスイッチ４２およびランプ４５と、電流制御用のサーモスタット４３を備えている。
【００４５】
上側本体ケース３に設けられるプレス板６は、例えばプラスチック樹脂（ＰＥＴ）等の非金属体としてある。これにより、発熱体４６を設けない側の温度を低く抑えることができる。また、プレス板６には、上下側本体ケース２，３のロックおよび解除操作用の係止部材４４が設けられている。
【００４６】
下側本体ケース２に設けられる熱板５は、アルミニウム等の金属板にフッ素樹脂塗装を施したものであり、この熱板５にマイカヒータ等の発熱体４６と、ヒータ押え４７とを重合し、基台１９上に固定される。図中、符号４８は、上下側本体ケース２，３を開方向に常時付勢する圧縮コイルばねである。
【００４７】
このような構成部品のもとで、図３および図４に示すように、上側本体ケース３の略中央位置にはスイッチ取付け孔３が穿設してあり、このスイッチ取付け孔３３には電源スイッチボタン３５がケース前後端方向（矢印ａ方向）に沿ってスライド可能に挿入されている。この電源スイッチボタン３５は上側外面に突出する摘み部６４を有している。また、電源スイッチボタン３５の後端側には、ケース内方に向う突出部の先端に後向きの爪部を有するロック爪５９が設けられている。このロック爪５９は図３に示すように、両本体ケース２，３を閉合した状態でケース後方に移動させることにより、ロック受け２２の係止部２２ａの下面に係合させることができ、この状態で両本体ケース２，３を閉合保持することができる。
【００４８】
また、この状態から電源スイッチボタン３５を前方に移動させることにより、電源スイッチボタン３５のロック爪５９をロック受け２２の係止部２２ａから外すことができる。この状態で上側本体ケース３の押え力を解除すれば、圧縮コイルばね４８の付勢力により上側本体ケース３を開動させることができる。
【００４９】
また、電源スイッチボタン３５の下面には円筒状のスイッチ操作用ボス６５が一体に突設されている。一方、電源スイッチボタン３５の下方にはボタンカバー４１が上側本体ケース３の内面に設けられている。このボタンカバー４１は電源スイッチボタン３５を覆う広い面積を有するものであり、上側本体ケース３に固定されている。ボタンカバー４１には電源スイッチボタン３５のスイッチ操作用ボス６５を挿通できる孔６６が形成されており、操作用ボス６５はケース前後方向（矢印ａ方向）に移動可能となっている。
【００５０】
そして、電源スイッチボタン３５をａ方向に移動させることにより、マイクロスイッチ４２の側面に平面視で傾斜配置で設けられたバネ性のスイッチレバー６０を押圧および押圧解除し、これにより、電源オン・オフ切換えを行なう構成となっている。本実施形態では、電源スイッチボタン３５を上側本体ケース３の前端側（図示左側）に移動させることによりスイッチレバー６０の先端がマイクロスイッチ４２の側面に接近し、スイッチオンとなる。そして、電源ランプ４５が点灯するとともに、熱板５の裏面側に接合している発熱体（ヒータ）４６に通電され、ヒータ加熱が行なわれる。
【００５１】
そして、電源スイッチボタン３５をａ方向に移動させることにより、マイクロスイッチ４２の側面に平面視で傾斜配置で設けられたバネ性のスイッチレバー６０を押圧および押圧解除し、これにより、電源オン・オフ切換えを行なう構成となっている。本実施形態では、電源スイッチボタン３５を上側本体ケース３の前端側（図示左側）に移動させることによりスイッチレバー６０の先端がマイクロスイッチ４２の側面から離間し、スイッチオンとなる。そして、電源ランプ４５が点灯するとともに、熱板５の裏面側に接合している発熱体（ヒータ）４６に通電され、ヒータ加熱が行なわれる。
【００５２】
これと逆に、電源スイッチボタン３５を上側本体ケース３の後端側（図示右側）に移動させることにより、スイッチレバー６０の先端がマイクロスイッチ４２の側面に接近し、スイッチオフとなる。そして、電源ランプ４５が消灯するとともに、発熱体（ヒータ）４６への通電が遮断され、ヒータ加熱が終了する。
【００５３】
本実施形態では、このスイッチ動作と同期して、電源スイッチボタン３５の移動により、本体ケース２，３を開状態とする動作、および閉状態にロックする動作とが行なわれる。すなわち、電源スイッチボタン３５を上側本体ケース３の前端側（図示左側）に移動させた場合には、ロック爪５９が図３の状態から図示左方向への移動により、ロック受け２２の係止部２２ａから外れてこれらのロック状態が解除され、上側本体ケース３には圧縮コイルばね４８によって上向き付勢力が与えられ、上側本体ケース３が軸４を支点として下側本体ケース２から離間して互いに開く方向に動作する。
【００５４】
逆に、下側本体ケース２と上側本体ケース３とが図３に示した閉状態であって、かつロック解除の状態において、電源スイッチボタン３５を上側本体ケース３の後端側（図示右側）に移動させた場合には、ロック爪５９が図示右方向へ移動することにより、電源スイッチボタン３５のロック爪５９をロック受け２２の係止部２２ａに係合させることにより、再びロック状態とすることができる。
【００５５】
なお、下側本体ケース２と上側本体ケース３とを開とした状態下においては、電源スイッチボタン３５を自由に操作することができる。したがって、本体ケース開状態においては、自由に電源のオン・オフ操作のみを行なうことが可能である。
【００５６】
そして、本実施形態では使用者が例えば上側本体ケース３の幅広部３ａと幅狭部３ｂとからなる外殻部を、片手で把持略してスイッチ操作することができ、操作を容易に行なうことができる。
【００５７】
図８は、ヒータおよびスイッチ６０、ランプ等による電源回路を示す回路図である。この図８に示すように、家庭等の交流電源１００からの閉ループ回路中にマイクロスイッチ６０が接続され、これにランプ４５および熱板５の発熱体（ヒータ）４６が並列配置され、ランプ４５および熱板５のヒータ４６から交流電源１００への回線にサーモスタット４３が接続されている。
【００５８】
図９および図１０は、図７に示した上側本体ケースを略１８０°転回してスイッチおよびロック部材を見易くした拡大斜視図である。図９は、本体ケース２，３を開（図４の状態）とし、電源スイッチオンとした状態を示している。また、図１０は、本体ケース２，３を閉（図３の状態）とし、電源スイッチオフとした状態を示している。
【００５９】
図９に示すように、本体ケース２，３を開（図４の状態）とした状態では、電源スイッチボタン３５を自由に移動することができ、オン・オフいずれの状態も選択することができる。したがって、手動により本体ケース２，３を開閉操作して衣類プレスを行なうとともに、必要に応じてスイッチオンにより加熱操作も自由に行なうことができる。
【００６０】
これに対し、図１０に示すように、本体ケース２，３を閉（図３の状態）としたロック状態にある場合には電源スイッチボタン３５単独での加熱操作はできず、加熱方向に電源スイッチボタン３５を操作した場合には常にロックが外れて本体ケース２，３が開となる。
【００６１】
このように、本実施形態による連動機構を備えた構成によれば、発熱体４６への通電および遮断用の電源スイッチボタン３５のオン・オフ動作とキー（ロック受け）２２による本体ケース２，３のロックおよび解除とを連動する連動機構を設け、ロック状態から本体ケース２，３のロック解除による開動作と、電源スイッチボタン３５のオンによるプレス開始が可能となり、ロック状態が解除されて本体ケース２，３が連動して開き、簡便な操作を行なうことができる。
【００６２】
そして、本体ケースが開いた状態においては電源スイッチのオン・オフ切換えが可能であり、プレス操作を自由に行なうことができる。
【００６３】
このような機能に加え、本実施形態においては、本体ケース２，３を閉鎖状態とした場合には、電源スイッチオンの操作をすることができないので、意図しない加熱が発生することがない。したがって、常に必要温度に維持することができ、安全な使用が確保される。
【符号の説明】
【００６４】
１‥衣類プレス器、２‥下側本体ケース、３‥上側本体ケース、２ａ，３ａ‥幅広部、２ｂ，３ｂ‥幅狭部、軸４‥、５‥熱板、６‥プレス板、７‥カバー、８‥通気孔、９‥隙間、１０‥電源コード、１１‥下側ケース体、１２，１３‥横カバー、１４‥底壁、１５‥周壁、１６‥内側壁、１７‥略長方形状の領域、１８‥柱状構成部、１９‥基台、２０‥開閉支点側の領域、２１ａ，２１ｂ‥熱遮蔽壁、２２‥ロック受け、２３‥スプリング受け、２４‥軸受、２５‥周壁１５に沿う空間、２６‥熱反射部材、２７‥係止突起、２８‥係止孔、２９ａ，２９ａ‥係止突起、３０ａ‥係止突起、３１‥係止孔、３２‥係止孔、３３‥スイッチ取付け孔、３４‥ランプカバー取付け孔、３５‥電源スイッチボタン、３６‥ランプカバー、３７‥孔、３８，３９‥横カバー、４０‥上側ケース体、４１‥ボタンカバー、４２‥マイクロスイッチ、４３‥サーモスタット、４４‥係止部材、４５‥ランプ、４６‥発熱体（ヒータ）、４７‥ヒータ押え、４８‥圧縮コイルばね（スプリング）、４９‥支持板、５０‥間隔、５１‥凹部、５７‥ネジ、５８‥ネジ、５９‥ロック爪、６０‥スイッチレバー、６１‥押え片、６２‥係止部材、６３‥開口部、６４‥摘み部、６５‥スイッチ操作用ボス、６６‥孔。
【図１】
0005602266.tif 000002
【図２】
0005602266.tif 000003
【図３】
0005602266.tif 000004
【図４】
0005602266.tif 000005
【図５】
0005602266.tif 000006
【図６】
0005602266.tif 000007
【図７】
0005602266.tif 000008
【図８】
0005602266.tif 000009
【図９】
0005602266.tif 000010
【図１０】
0005602266.tif 000011